(57)【特許請求の範囲】
【請求項１】
湯水の流路を開閉する湯水開閉弁と、逆止弁と昇降弁と吸気弁とを有し湯水開閉弁よりも上流への浴槽水の逆流を防止する逆流防止手段と、洗剤を貯留する洗剤タンクと、洗剤タンクに連通する洗剤注ぎ口と、洗剤タンクに貯留された洗剤を圧送する圧送手段と、湯水開閉弁を通って流入した湯水に圧送された洗剤を混入して洗浄液を生成する洗剤混合部と、湯水と洗浄液の流量を調整する流量調整手段とを有し、浴室側壁の浴槽裏面に対峙する部分に取り付けられる洗浄液生成装置と、浴槽に取り付けられる洗浄ノズルと、湯水供給源と洗浄液生成装置とを連結する第１管路と、洗浄液生成装置と洗浄ノズルとを連結する第２管路とを備えることを特徴とする浴槽洗浄装置。
【請求項２】
湯水の流路を開閉する湯水開閉弁と、逆止弁と昇降弁と大気開放弁とを有し湯水開閉弁よりも上流への浴槽水の逆流を防止する逆流防止手段と、洗剤を貯留する洗剤タンクと、洗剤タンクに連通する洗剤注ぎ口と、洗剤タンクに貯留された洗剤を圧送する圧送手段と、湯水開閉弁を通って流入した湯水に圧送された洗剤を混入して洗浄液を生成する洗剤混合部と、湯水と洗浄液の流量を調整する流量調整手段とを有し、浴室側壁の浴槽裏面に対峙する部分に取り付けられる洗浄液生成装置と、浴槽に取り付けられる洗浄ノズルと、湯水供給源と洗浄液生成装置とを連結する第１管路と、洗浄液生成装置と洗浄ノズルとを連結する第２管路とを備えることを特徴とする浴槽洗浄装置。
【請求項３】
湯水の流路を開閉する湯水開閉弁と、逆止弁と昇降弁と大気開放弁とを有し湯水開閉弁よりも上流への浴槽水の逆流を防止する逆流防止手段と、洗剤を貯留する洗剤タンクと、洗剤タンクに連通する洗剤注ぎ口と、洗剤タンクに貯留された洗剤を圧送する圧送手段と、湯水開閉弁を通って流入した湯水に圧送された洗剤を混入して洗浄液を生成する洗剤混合部と、湯水と洗浄液の流量を調整する流量調整手段とを有し、浴室側壁の浴槽裏面に対峙する部分に取り付けられる洗浄液生成装置と、浴槽に取り付けられる洗浄ノズルと、湯水供給源と洗浄液生成装置とを連結する第１管路と、洗浄液生成装置と洗浄ノズルとを連結する第２管路とを備え、洗浄液生成装置が浴室側壁に取り付けられた状態で、昇降弁は湯水開閉弁よりも下方に位置することを特徴とする浴槽洗浄装置。
【請求項４】
浴室側壁に予め取り付けられた支持部材に係合可能な開口を有する支持金具に洗浄液生成装置が取り付けられていることを特徴とする請求項１乃至３の何れか１項に記載の浴槽洗浄装置。
【請求項５】
湯水開閉弁と逆流防止手段と洗剤混合部と流量調整手段とを有する第１組立体と、洗剤タンクと圧送手段とを有する第２組立体とが、支持金具に取り付けられていることを特徴とする請求項４に記載の浴槽洗浄装置。
【請求項６】
昇降弁の下端が大気開放され、昇降弁の下方に排水受け部材が配設され、一端が排水受け部材に接続された排水管が浴槽排水口近傍まで延在していることを特徴とする請求項３に記載の浴槽洗浄装置。
【請求項７】
流量調整手段は、洗剤混合部よりも下流に配設されていることを特徴とする請求項１乃至６の何れか１項に記載の浴槽洗浄装置。
【請求項８】
圧送手段は洗剤タンクに取り付けられ、圧送手段の入力端子が、洗剤タンクの囲壁を含む防護壁によって包囲され、周域環境から遮断されていることを特徴とする請求項１乃至７の何れか１項に記載の浴槽洗浄装置。
【請求項９】
洗剤タンクと圧送手段との間の管路にフィルターが配設されていることを特徴とする請求項１乃至８の何れか１項に記載の浴槽洗浄装置。
【請求項１０】
洗剤タンクに洗剤抜き栓が設けられていることを特徴とする請求項１乃至９の何れか１項に記載の浴槽洗浄装置。
【請求項１１】
洗剤タンクの頂部又は洗剤注ぎ口又は洗剤注ぎ口と洗剤タンクとを接続する連通管に大気開放穴が形成されていることを特徴とする請求項１乃至１０の何れか１項に記載の浴槽洗浄装置。
【請求項１２】
一端が洗剤タンクの頂部に接続され他端が洗剤注ぎ口と略同一高さ位置で大気開放された大気開放管を備えることを特徴とする請求項１乃至１０の何れか１項に記載の浴槽洗浄装置。
【請求項１３】
洗浄液生成装置は湯水又は洗浄液に空気を混入する空気混入手段を有することを特徴とする請求項１乃至１２の何れか１項に記載の浴槽洗浄装置。
【請求項１４】
空気混入手段は昇降弁であることを特徴とする請求項１３に記載の浴槽洗浄装置。
【発明の詳細な説明】
【０００１】
【発明の属する技術分野】
本発明は、浴槽洗浄装置に関するものである。
【０００２】
【従来の技術】
浴槽内に設置される浴槽洗浄装置が特開平６−３０８５３号に開示されている。
【０００３】
【発明が解決しようとする課題】
特開平３−３０８５３号の浴槽洗浄装置には、毛髪や垢が付着し易く衛生的でない、浴槽使用時に水没するので電気部品を防水構造化する必要があり装置が複雑化する、入浴者の邪魔になる、浴室の美観を損なう等の問題がある。
本発明は上記問題に鑑みてなされたものであり、衛生的で、電気部品回りの構造が単純で、入浴者の邪魔にならず、浴室の美観を損なわない浴槽洗浄装置を提供することを目的とする。
【０００４】
【課題を解決するための手段】
上記課題を解決するために、本発明においては、湯水の流路を開閉する湯水開閉弁と、逆止弁と昇降弁と吸気弁とを有し湯水開閉弁よりも上流への浴槽水の逆流を防止する逆流防止手段と、洗剤を貯留する洗剤タンクと、洗剤タンクに連通する洗剤注ぎ口と、洗剤タンクに貯留された洗剤を圧送する圧送手段と、湯水開閉弁を通って流入した湯水に圧送された洗剤を混入して洗浄液を生成する洗剤混合部と、湯水と洗浄液の流量を調整する流量調整手段とを有し、浴室側壁の浴槽裏面に対峙する部分に取り付けられる洗浄液生成装置と、浴槽に取り付けられる洗浄ノズルと、湯水供給源と洗浄液生成装置とを連結する第１管路と、洗浄液生成装置と洗浄ノズルとを連結する第２管路とを備えることを特徴とする浴槽洗浄装置を提供する。
【０００５】
主要部である洗浄液生成装置が浴室側壁の浴槽裏面に対峙する部分に取り付けられた本発明に係る浴槽洗浄装置は、主要部に毛髪や垢が付着しないので衛生的であり、浴槽使用時でも主要部が水没せず電気部品を防水構造化する必要がないので構造が複雑化せず、主要部が浴槽外に在るので入浴者の邪魔にならず、主要部が浴室利用者の目に止まらないので浴室の美観を損なわない。逆止弁と昇降弁と吸気弁とにより逆流防止手段を構成することにより、逆止弁が万一破損した場合でも洗浄液生成装置よりも上流への浴槽水の逆流を防止することができる。
【０００６】
本発明においては、湯水の流路を開閉する湯水開閉弁と、逆止弁と昇降弁と大気開放弁とを有し湯水開閉弁よりも上流への浴槽水の逆流を防止する逆流防止手段と、洗剤を貯留する洗剤タンクと、洗剤タンクに連通する洗剤注ぎ口と、洗剤タンクに貯留された洗剤を圧送する圧送手段と、湯水開閉弁を通って流入した湯水に圧送された洗剤を混入して洗浄液を生成する洗剤混合部と、湯水と洗浄液の流量を調整する流量調整手段とを有し、浴室側壁の浴槽裏面に対峙する部分に取り付けられる洗浄液生成装置と、浴槽に取り付けられる洗浄ノズルと、湯水供給源と洗浄液生成装置とを連結する第１管路と、洗浄液生成装置と洗浄ノズルとを連結する第２管路とを備えることを特徴とする浴槽洗浄装置を提供する。
【０００７】
主要部である洗浄液生成装置が浴室側壁の浴槽裏面に対峙する部分に取り付けられた本発明に係る浴槽洗浄装置は、主要部に毛髪や垢が付着しないので衛生的であり、浴槽使用時でも主要部が水没せず電気部品を防水構造化する必要がないので構造が複雑化せず、主要部が浴槽外に在るので入浴者の邪魔にならず、主要部が浴室利用者の目に止まらないので浴室の美観を損なわない。逆止弁と昇降弁と大気開放弁とにより逆流防止手段を構成することにより、逆止弁が万一破損した場合でも洗浄液生成装置よりも上流への浴槽水の逆流を防止することができる。
【０００８】
本発明においては、湯水の流路を開閉する湯水開閉弁と、逆止弁と昇降弁と大気開放弁とを有し湯水開閉弁よりも上流への浴槽水の逆流を防止する逆流防止手段と、洗剤を貯留する洗剤タンクと、洗剤タンクに連通する洗剤注ぎ口と、洗剤タンクに貯留された洗剤を圧送する圧送手段と、湯水開閉弁を通って流入した湯水に圧送された洗剤を混入して洗浄液を生成する洗剤混合部と、湯水と洗浄液の流量を調整する流量調整手段とを有し、浴室側壁の浴槽裏面に対峙する部分に取り付けられる洗浄液生成装置と、浴槽に取り付けられる洗浄ノズルと、湯水供給源と洗浄液生成装置とを連結する第１管路と、洗浄液生成装置と洗浄ノズルとを連結する第２管路とを備え、洗浄液生成装置が浴室側壁に取り付けられた状態で、昇降弁は湯水開閉弁よりも下方に位置することを特徴とする浴槽洗浄装置を提供する。
【０００９】
主要部である洗浄液生成装置が浴室側壁の浴槽裏面に対峙する部分に取り付けられた本発明に係る浴槽洗浄装置は、主要部に毛髪や垢が付着しないので衛生的であり、浴槽使用時でも主要部が水没せず電気部品を防水構造化する必要がないので構造が複雑化せず、主要部が浴槽外に在るので入浴者の邪魔にならず、主要部が浴室利用者の目に止まらないので浴室の美観を損なわない。逆止弁と昇降弁と大気開放弁とにより逆流防止手段を構成することにより、逆止弁が万一破損した場合でも洗浄液生成装置よりも上流への浴槽水の逆流を防止することができる。昇降弁を湯水開閉弁よりも下方に配設することにより、洗浄液生成装置よりも上流で負圧が発生した際に、湯水開閉弁と昇降弁との間にエアギャップを形成して、逆流防止の万全を期すことができる。
【００１０】
本発明の好ましい態様においては、浴室側壁に予め取り付けられた支持部材に係合可能な開口を有する支持金具に洗浄液生成装置が取り付けられている。
浴室側壁に予め取り付けられた支持部材に支持金具の開口を係合させることにより、洗浄液生成装置を浴室側壁に容易に取り付けることができる。
【００１１】
本発明の好ましい態様においては、湯水開閉弁と逆流防止手段と洗剤混合部と流量調整手段とを有する第１組立体と、洗剤タンクと圧送手段とを有する第２組立体とが支持金具に取り付けられている。
湯水開閉弁と逆流防止手段と洗剤混合部と流量調整手段とを一体化して第１組立体とし、洗剤タンクと圧送手段とを一体化して第２組立体とすることにより、洗浄液生成装置の組立が容易になる。機能を異にし、保守の頻度や保守作業の内容も異なる第１組立体と第２組立体とを必要に応じて個別に支持金具から取り外すことができるので、洗浄液生成装置の保守作業が容易になる。
【００１２】
本発明の好ましい態様においては、昇降弁の下端が大気開放され、昇降弁の下方に排水受け部材が配設され、一端が排水受け部材に接続された排水管が浴槽排水口近傍まで延在している。
一端が排水受け部材に接続された排水管を浴槽排水口近傍まで延在させることにより、床パンの汚れを防止できる。昇降弁の下端を大気開放することにより、排水管が目詰まりした場合の昇降弁の機能不全と排水管から昇降弁への湯水の逆流とを防止することができる。
【００１３】
本発明の好ましい態様においては、流量調整手段は、洗剤混合部よりも下流に配設されている。
流量調整手段を洗剤混合部よりも下流に配設することより、洗浄液生成装置内での圧力損失が低減する。
【００１４】
本発明の好ましい態様においては、圧送手段は洗剤タンクに取り付けられ、圧送手段の入力端子が、洗剤タンクの囲壁を含む防護壁によって包囲され、周域環境から遮断されている。
圧送手段を洗剤タンクに取り付けることにより、第２組立体が小型化する。圧送手段の入力端子を洗剤タンクの囲壁を含む防護壁によって包囲し、周囲環境から遮断することにより、入力端子への水滴の付着が防止され、漏電、短絡の発生が防止される。
【００１５】
本発明の好ましい態様においては、洗剤タンクと圧送手段との間の管路にフィルターが配設されている。
洗剤タンクと圧送手段との間の管路にフィルターを配設することにより、圧送手段へのゴミ等の侵入を防止し、圧送手段の故障を防止することができる。
【００１６】
本発明の好ましい態様においては、洗剤タンクに洗剤抜き栓が設けられている。
洗剤抜き栓を開くことにより、劣化した洗剤を廃棄し、或いは既存の洗剤を異なる洗剤と交換することができる。
【００１７】
本発明の好ましい態様においては、洗剤タンクの頂部又は洗剤注ぎ口又は洗剤注ぎ口と洗剤タンクとを接続する連通管に大気開放穴が形成されている。
洗剤タンクの頂部又は洗剤注ぎ口又は洗剤注ぎ口と洗剤タンクとを接続する連通管に大気開放穴を形成することにより、圧送手段作動時の負圧による洗剤タンクの変形を防止することができる。
【００１８】
本発明の好ましい態様においては、浴槽洗浄装置は、一端が洗剤タンクの頂部に接続され他端が洗剤注ぎ口と略同一高さ位置で大気開放された大気開放管を備える。
一端が洗剤タンクの頂部に接続され他端が洗剤注ぎ口と略同一高さ位置で大気開放された大気開放管を配設することにより、圧送手段作動時の負圧による洗剤タンクの変形を防止することができると共に、洗剤タンクに洗剤を過剰に補給した場合の洗剤タンクからの洗剤の溢出を防止することができる。
【００１９】
本発明の好ましい態様においては、洗浄液生成装置は湯水又は洗浄液に空気を混入する空気混入手段を有する。
洗浄液と空気の混合体が噴射されるので、洗浄液の泡が浴槽側壁に付着する。洗浄液の泡は長時間に亘って浴槽側壁上に滞留するので、浴槽側壁の汚れを十分に洗い落とすことができる。
本発明の好ましい態様においては、空気混入手段は昇降弁である。
昇降弁を用いて、簡便且つ安価に洗浄液に空気を混入することができる。
【００２０】
【発明の実施の形態】
本発明の実施例に係る浴槽洗浄装置を説明する。
図１〜３に示すように、浴室ユニット１００内に浴槽２００が配設されている。洗い場１０１側の浴槽２００の側面は、浴槽のリム２０１とエプロン２０２とにより覆われ、視界から遮断されている。
浴室側壁１０２の、浴槽２００裏面に対峙する部分、より詳しくは浴槽２００の洗い場１０１側の隅部裏面に対峙する部分に、洗浄液生成装置１が取り付けられている。浴室ユニット１００の床上に配設され、図示しない湯水供給源から延びる図示しない湯水配管に接続された分岐金具３００から、軟質合成樹脂製の軟質ホース２が延び、洗浄液生成装置１に接続している。洗浄液生成装置１から延びる軟質合成樹脂製の軟質ホース３が、浴槽２００の洗い場１０１側の側壁に取り付けられた一対の洗浄ノズル４と、前記側壁と向かい合う側壁に取り付けられた一体の洗浄ノズル４とに接続している。分岐金具３００、洗浄液生成装置１、軟質ホース２、３は、リム２０１とエプロン２０２とにより浴室使用者の視線から遮断されている。
【００２１】
図４〜７に示すように、洗浄液生成装置１は、軟質ホース２に接続する入口ポート５を有している。湯水の流れに関して入口ポート５の下流に、吸気弁６が配設され、吸気弁６の下流に電磁弁により開閉制御されるパイロット式の湯水開閉弁７が配設されている。図８に示すように、吸気弁６は、Ｏリング６ａに当接して流路６ｂを塞ぐボール６ｃと、ボール６ｃをＯリング６ａへ向けて付勢するバネ６ｄとを有している。図４〜７に示すように、湯水開閉弁７の下流に大気開放弁８が配設されている。
図４〜７に示すように、湯水の流れに関して大気開放弁８の下流に昇降弁９が配設されている。図９に示すように、昇降弁９は、Ｏリング９ａに当接して流路９ｂを塞ぐボール９ｃと、ボール９ｃをＯリング９ａから離脱する方向へ付勢するバネ９ｄとを有している。図４〜７に示すように、昇降弁９の下流に逆止弁１０が配設されている。逆止弁１０の下流に洗剤混合部１１が配設されている。
図４〜７に示すように、入口ポート５、吸気弁６、湯水開閉弁７、大気開放弁８、昇降弁９、逆止弁１０、洗剤混合部１１は、管路によって順次接続されている。昇降弁９、逆止弁１０、洗剤混合部１１は、入口ポート５、吸気弁６、湯水開閉弁７、大気開放弁８の下方に配設されている。
昇降弁９の下端は大気開放されており、図２、３、５に示すように、昇降弁９の下方に排水受け部材２３が配設されている。一端が排水受け部材２３に接続された排水ホース２４が浴槽排水口２００ａ近傍まで延在している。
【００２２】
図４〜６に示すように、洗剤混合部１１に隣接して洗剤タンク１２が配設されている。図１〜３に示すように、洗剤タンク１２の頂部から延びる洗剤ホース２５が、浴槽のリム２０１に形成された洗剤注ぎ口２０１ａに接続している。洗剤注ぎ口２０１ａを閉じる蓋２６が配設されている。図４〜６に示すように、一端が洗剤タンク１２の頂部に接続され他端が洗剤注ぎ口２０１ａと略同一高さ位置で大気開放された大気開放ホース２７が配設されている。図４、５、１０に示すように、洗剤タンク１２の下半分は、略Ｕ形の平断面形状を有している。洗剤タンク１２の底壁に、洗剤抜き栓１３が取り付けられている。洗剤タンク１２の下部に、フロートスイッチ１４が配設されている。
図４、５、１０に示すように、略Ｕ形の平断面形状を有する洗剤タンク１２の下半分が形成する凹部１２ａ内に、ポンプ１５が配設されている。ポンプ１５は洗剤タンク１２に接続されている。ポンプ１５と洗剤タンク１２との接続部を包囲する水密パッキンが配設されている。ポンプ１５と洗剤タンク１２とを接続する管路内にフィルター１５ａが配設されている。図４〜６に示すように、凹部１２ａの上半分は、洗剤タンク１２に取り付けられた防水パッキンと遮蔽板１６とにより覆われている。凹部１２ａ内に気密パッキン１７が配設されている。この結果、ポンプ１５の上部、ひいてはポンプ１５の上部に配設された入力端子１５ｂは、凹部１２ａ側壁と遮蔽板１６及び防水パッキンと気密パッキン１７とにより包囲され、周域環境から遮断されている。ポンプ１５から延びる軟質チューブ１８が、逆止弁１９に接続している。逆止弁１９は洗剤混合部１１に接続している。
【００２３】
図５に示すように、湯水の流れに関して洗剤混合部１１の下流に定流量弁等の流量調節弁２０が配設されている。流量調節弁２０の下流に出口ポート２１が配設されている。出口ポート２１は軟質ホース３に接続している。
【００２４】
図４〜７に示すように、入口ポート５、吸気弁６、湯水開閉弁７、大気開放弁８、昇降弁９、逆止弁１０、１９、洗剤混合部１１、流量調整弁２０、出口ポート２１は、一体に組み付けられて第１組立体Ａを形成している。洗剤タンク１２とポンプ１５とフロートスイッチ１４とは一体に組み付けられて第２組立体Ｂを形成している。
図４〜７に示すように、洗浄液生成装置１の第１組立体Ａと第２組立体Ｂとは、支持金具２２に取り付けられている。支持金具２２に複数の開口２２ａが形成されている。複数の開口２２ａの上縁が浴室側壁１０２に予め取り付けられた複数の支持部材４００に係合することにより、支持金具２２は浴室側壁１０２に取り付けられている。
【００２５】
洗剤タンク１２内の洗剤残量を表示する図示しない表示装置が配設されている。
【００２６】
図１１に示すように、洗浄ノズル４は、軟質ホース３に接続されたノズル継手４ａを有している。ノズル継手４ａの雄ねじが形成された一端が、浴槽２００の側壁に形成された取り付け穴に、浴槽２００の外側から挿入されている。雌ねじが形成された継手固定具４ｂが、浴槽２００の内側から前記取り付け穴に挿入され、ノズル継手４ａに螺合している。ノズル継手４ａと継手固定具４ｂとは協働し、パッキン４ｃを介し前記取り付け穴周囲の浴槽２００側壁を挟持して、当該側壁に取り付けられている。ノズル継手４ａと継手固定具４ｂとにより、ノズル継手組立体が形成されている。ノズル本体４ｄが、浴槽２００の内側からノズル継手組立体に挿入されている。ノズル継手４ａに形成された一対のキー４ａ′が、ノズル本体４ｄに形成された一対のキー溝４ｄ′に係合している。ノズル本体４ｄに形成された周溝に係合する第１Ｏリング４ｅがノズル継手４ａに当接してノズル本体４ｄとノズル継手４ａとの間の環状隙間をシールしている。ノズル本体４ｄに形成された周溝に係合する第２Ｏリング４ｆが継手固定具４ｂに形成された段部４ｂ′に係合して、ノズル本体４ｄを継手固定具４ｂに係止し、ひいてはノズル継手４ａと継手固定具４ｂとにより形成されたノズル継手組立体に係止している。
【００２７】
図１２を参照しつつ、本実施例に係る浴槽洗浄装置の作動を説明する。
浴槽２００の空槽時に、図示しない浴槽洗浄装置の洗浄開始ボタンを操作すると、制御装置の指令に基づいて湯水開閉弁７が短時間開いた後閉じる。図示しない湯水供給源から分岐金具３００と軟質ホース２とを通って圧送された湯水が、入口ポート５を通って洗浄液生成装置１へ流入し、管路を経て洗剤混合部１１に到達し、出口ポート２１を通って洗浄液生成装置１から流出する。湯水は軟質ホース３を通って洗浄ノズル４に到達し、洗浄ノズル４から短時間噴出する。短時間の湯水の噴射により、浴室ユニット１００内にいる人に浴槽洗浄の開始が警告される（図１２の（１））。浴室ユニット１００内にいる人の目に万一湯水が入ったとしても、湯水には洗剤は混入されていないので安全である。
洗浄液生成装置１の管路を流れる湯水の水圧により図示しないフロートが大気開放口に当接して大気開放弁８が閉じ、管路を流れる湯水の水圧によりバネ９ｄの付勢力に抗してボール９ｃがＯリング９ａに押し付けられて昇降弁９が閉じ、また吸気弁６は通常閉じているので、湯水は洗浄液生成装置１の管路から漏出しない。
【００２８】
湯水の警告噴射から所定時間経過後、制御装置の指令により、ポンプ１５が所定時間作動した後停止する。洗剤タンク１２内の洗剤が洗剤混合部１１へ圧送される。洗剤混合部１１内に滞留する湯水に洗剤が混入され、洗剤混合部１１内で洗浄液が生成される（図１２の（２））。洗剤混合部１１内に滞留する湯水に洗剤を混入するので、洗浄液生成装置１へ供給される湯水の水圧が変動しても、常に所望の適正濃度の洗浄液を生成することができる。
制御装置の指令により、湯水開閉弁７が開き、洗剤混合部１１内の洗浄液は流量調整弁２０を通って適正流量に調整された後、軟質ホース３を通って洗浄ノズル４へ圧送され、洗浄ノズル４から噴出して浴槽内面に付着する。浴槽内面に付着した汚れが洗浄液中に溶解する。洗浄液の噴射に連続して湯水のみの噴射が行われ、汚れを溶解した洗浄液が洗い流された後、湯水開閉弁７が閉じる（図１２の（３））。以上により浴槽内面の初期洗浄が終了する。初期洗浄により、本洗浄に先立って、浴槽内面に付着した毛髪等のゴミを洗い流すことができる。また浴槽内面に付着した水垢等の汚れを落ち易い状態にすることができる。
【００２９】
制御装置の指令により、ポンプ１５が所定時間作動した後停止する。洗剤タンク１２内の洗剤が洗剤混合部１１へ圧送される。洗剤混合部１１内に滞留する湯水に洗剤が混入され、洗剤混合部１１内で洗浄液が生成される（図１２の（４））。
制御装置の指令により、湯水開閉弁７が所定時間開いた後閉じる。洗剤混合部１１内の洗浄液が洗浄ノズル４の手前まで圧送される（図１２の（５））。所定時間経過後、湯水開閉弁７が再度所定時間開いた後閉じる。洗浄ノズル４の手前に在る洗浄液が全量噴射される（図１２の（６））。以上により洗浄液が浴槽内面に付着する。洗浄ノズルの手前に在る洗浄液の塊のみを噴射するので、洗浄液は湯水によって希釈されることなく、浴槽内面に付着する。この結果、洗浄液の洗浄作用が十分に発揮される。初期洗浄により落ち易くなった浴槽内面の汚れは、容易に洗浄液に溶解する。
【００３０】
制御装置の指令により、図１２の（４）〜（６）の工程が複数回繰り返される。この結果、洗浄液の噴射と、所定時間の待機と、湯水のみの噴射と、所定時間の待機とから成る工程が複数回繰り返され、浴槽内面に付着した汚れが十分に洗い落とされる。洗浄液の噴射と湯水の噴射との間に所定の待機時間があるので、浴槽内面に付着した洗浄液は所定時間洗い流されることなく浴槽内面上に留まる。この結果、洗浄液の汚れ溶解作用が十分に発揮される。洗浄液の噴射と、所定時間の待機と、湯水のみの噴射と、所定時間の待機とから成る工程を複数回繰り返すことにより、洗浄効果が高まると共に洗剤の無駄使いが抑制される。
制御装置の指令により、湯水開閉弁７が所定時間開いた後閉じる。洗浄ノズル４から湯水のみが所定時間噴射され（図１２の（７））、浴槽１００が濯ぎ洗いされて、浴槽洗浄が終了する。
【００３１】
洗浄液生成装置１の管路内に負圧が発生すると、ボール６ｃに加わる負圧によりバネ６ｄの付勢力に抗してボール６ｃがＯリング６ａから離脱して吸気弁６が開き、図示しないフロートが大気開放口から離脱して大気開放弁８が開き、ボール９ｃに加わる負圧とバネ９ｄの付勢力とによりボール９ｃがＯリング９ａから離脱して昇降弁９が開く。この結果、吸気弁６、大気開放弁８、昇降弁９から洗浄液生成装置１の管路内へ空気が吸引され、洗浄液生成装置１の管路から昇降弁９を通って湯水が排出される。昇降弁９の下端から排出された湯水は、排水受け部材２３へ流入し、排水ホース２４を通り、浴槽排水口２００ａ近傍で排水ホース２４から吐出する。排水ホース２４から吐出した湯水は、浴槽排水口２００ａ直下の床パンの排水用凹部と接続管とを通って床パン下の排水トラップへ流入し、排水トラップから浴室外へ排出される。
洗浄ノズル４の高さ位置を越えて浴槽２００に浴槽水が溜まっている時に、断水等により洗浄液生成装置１よりも上流で負圧が発生し、且つ湯水開閉弁７の閉止動作が不調であっても、逆止弁１０が作動して、洗浄液生成装置１よりも上流への浴槽水の逆流を阻止する。逆止弁１０の作動が万一不調であっても、吸気弁６、大気開放弁８、昇降弁９から空気が吸引されることと、昇降弁９から排水されることとにより、洗浄液生成装置１よりも上流への浴槽水の逆流が阻止される。昇降弁９は湯水開閉弁７よりも下方に配設されているので、湯水開閉弁７と昇降弁９との間の管路内の湯水が昇降弁９から排水されることにより、湯水開閉弁７と昇降弁９との間にエアギャップが形成される。この結果、万全な逆流防止が達成される。吸気弁６、大気開放弁８、昇降弁９の何れか１つの作動が万全であれば、洗浄液生成装置１よりも上流への浴槽水の逆流は阻止される。
一端が排水受け部材２３に接続された排水ホース２４を浴槽排水口２００ａ近傍まで延在させ、排水ホース２４から吐出した湯水を浴槽排水口２００ａ直下の床パンの排水用凹部へ流入させることにより、床パンの汚れが防止される。昇降弁９の下端を大気開放することにより、排水ホース２４が目詰まりした場合の昇降弁９の機能不全と排水ホース２４から昇降弁９への湯水の逆流とが防止される。
【００３２】
浴槽洗浄装置の主要部である洗浄液生成装置１は、浴室側壁１０２に取り付けられているので、浴槽水内に水没しない。洗浄液生成装置１は、浴槽２００のリム２０１、エプロン２０２、浴室側壁１０２により包囲されているので、浴槽水はかからない。従って、主要部である洗浄液生成装置１に毛髪や垢が付着せず、本実施例に係る浴槽洗浄装置は衛生的である。洗浄液生成装置１は浴槽水内に水没せず、電気部品を防水構造化する必要がないので構造が複雑化しない。主要部である洗浄水生成装置１の構造が複雑化しないので、本実施例に係る浴槽洗浄装置の構造は複雑化しない。主要部である洗浄液生成装置１が浴槽外に在るので本実施例に係る浴槽洗浄装置は入浴者の邪魔にならない。主要部である洗浄液生成装置１が浴室利用者の目に止まらないので本実施例に係る浴槽洗浄装置は浴室ユニット１００の美観を損なわない。
【００３３】
支持金具２２に形成した複数の開口２２ａの上縁を浴室側壁１０２に予め取り付けた複数の支持部材４００に係合させることにより、洗浄液生成装置１を浴室側壁１０２に容易に取り付けることができる。
【００３４】
吸気弁６と、湯水開閉弁７と、大気開放弁８と、昇降弁９と、逆止弁１０、１９と、洗剤混合部１１とを一体化して第１組立体Ａとし、洗剤タンク１２とポンプ１５とフロートスイッチ１４とを一体化して第２組立体Ｂとすることにより、洗浄液生成装置１の組立が容易になる。機能を異にし、保守の頻度や保守作業の内容も異なる第１組立体Ａと第２組立体Ｂとを必要に応じて個別に支持金具２２から取り外すことができるので、洗浄液生成装置１の保守作業が容易になる。
【００３５】
逆止弁１０に加えて吸気弁６、大気開放弁８、昇降弁９を配設しているので、逆止弁１０が万一破損した場合でも洗浄液生成装置１よりも上流への浴槽水の逆流を防止することができる。
【００３６】
昇降弁９を湯水開閉弁７よりも下方に配設することにより、洗浄液生成装置１よりも上流で負圧が発生した際に、湯水開閉弁７と昇降弁９との間にエアギャップを形成して、逆流防止の万全を期すことができる。
【００３７】
流量調整弁２０を洗剤混合部１１よりも下流に配設することより、洗浄液生成装置１内での圧力損失が低減する。
【００３８】
ポンプ１５を洗剤タンク１２に取り付けることにより、第２組立体Ｂが小型化する。ポンプ１５の入力端子１５ａを洗剤タンク１２の側壁と、遮蔽板１６及び防水パッキンと、気密パッキン１７とにより形成される防護壁によって包囲し、周域環境から遮断することにより、入力端子１５ａへの水滴の付着が防止され、漏電、短絡の発生が防止される。
【００３９】
洗剤タンク１２とポンプ１５との間の管路にフィルター１５ａを配設することにより、ポンプ１５へのゴミ等の侵入を防止し、ポンプ１５の故障を防止することができる。
【００４０】
洗剤タンク１２の洗剤抜き栓１３を開くことにより、劣化した洗剤を廃棄し、或いは既存の洗剤を異なる洗剤と交換することができる。
【００４１】
フロートスイッチ１４により、洗剤タンク１２内の洗剤の残量が容易に検知され、検知結果に基づき必要に応じて洗剤タンク１２へ洗剤を補給することによりポンプ１５の空転が防止される。洗剤注ぎ口２０１ａから洗剤ホース２５を介して洗剤タンク１２へ容易に洗剤を補給することができる。
【００４２】
大気開放ホース２７を介して浴室内空気が洗剤タンク１２へ吸引されることにより、ポンプ１５作動時の負圧による洗剤タンク１２の変形が防止される。大気開放ホース２７の大気開放端が洗剤注ぎ口２０１ａと略同一高さに在ることにより、洗剤タンク１２に洗剤を過剰に補給した場合の洗剤タンク１２からの洗剤の溢出が防止される。
【００４３】
軟質ホース２、３を使用しているので、湯水開閉弁７の閉止時に発生する衝撃を吸収できると共に、浴槽洗浄装置の組立が容易になる。
【００４４】
以上本発明の実施例を説明したが、本発明は上記実施例に限定されない。
洗浄液に空気を混入する装置を配設しても良い。空気混入装置は、エジェクタ効果により自然給気する装置であっても良く、ポンプ等により強制給気する装置でも良い。洗浄液と空気の混合体が噴射されるので、洗浄液の泡が浴槽２００の側壁に付着する。洗浄液の泡は長時間に亘って浴槽側壁上に滞留するので、浴槽側壁の汚れが十分に洗浄液に溶解し、十分に洗い落とされる。
バネ９ｄのバネ定数を調整して、湯水開閉弁７が閉じて洗浄液生成装置１の管路内の水圧が低下した時にボール９ｃがＯリング９ａから離脱するように、昇降弁９を構成することができる。この場合、洗剤混合部１１内で湯水と洗剤とを混合して洗浄液を生成するために、湯水開閉弁７を閉じると、昇降弁９が開き、逆止弁１０と湯水開閉弁７との間の管路内の湯水が空気に置換される。湯水開閉弁７を開いて生成された洗浄液を洗浄ノズル４へ圧送すると、洗浄液に続いて管路内の空気も洗浄ノズル４へ圧送される。この結果、洗浄ノズル４から洗浄液と空気の混合体が噴射される。昇降弁を用いて、簡便且つ安価に洗浄液に空気を混入することができる。
【００４５】
分岐金具３００の軟質ホース２との接続部、洗浄液生成装置１の入口ポート５近傍部、洗浄液生成装置１の出口ポート２１近傍部等の１箇所又は複数箇所に水抜栓を取り付けても良い。浴槽洗浄装置内の残水を排出することにより、残水の凍結による装置の損傷や残水の腐敗を防止することができる。
【００４６】
洗剤タンク１２内の洗剤の残量を検知することができる任意のセンサーをフロートスイッチ１４に代えて使用しても良い。
【００４７】
大気開放ホース２７に代えて、洗剤タンク１２の頂部又は洗剤注ぎ口２０１ａの囲壁や蓋２６又は洗剤ホース２５に大気開放穴を形成しても良い。大気開放穴から浴室内空気が洗剤タンク１２へ吸引されることにより、圧送手段作動時の負圧による洗剤タンク１２の変形が防止される。
【００４８】
支持金具２２に複数のダルマ穴を形成し、浴室側壁１０２に予め取り付けた複数のネジに前記ダルマ穴を係合させて、洗浄液生成装置１を浴室側壁１０２に取り付けても良い。
【００４９】
【発明の効果】
上記説明から分かるように、主要部である洗浄液生成装置が浴室側壁の浴槽裏面に対峙する部分に取り付けられた本発明に係る浴槽洗浄装置は、主要部に毛髪や垢が付着しないので衛生的であり、浴槽使用時でも主要部が水没せず電気部品を防水構造化する必要がないので構造が複雑化せず、主要部が浴槽外に在るので入浴者の邪魔にならず、主要部が浴室利用者の目に止まらないので浴室の美観を損なわない。逆止弁と昇降弁と吸気弁とにより逆流防止手段を構成することにより、逆止弁が万一破損した場合でも洗浄液生成装置よりも上流への浴槽水の逆流を防止することができる。
【図面の簡単な説明】
【図１】本発明の実施例に係る浴槽洗浄装置の上面図である。
【図２】図１のＩＩ−ＩＩ矢視図である。
【図３】図１のＩＩＩ−ＩＩＩ矢視図である。
【図４】本発明の実施例に係る浴槽洗浄装置が有する洗浄液生成装置の構造図である。
【図５】図４のＶ−Ｖ矢視図である。
【図６】図４のＶＩ−ＶＩ矢視図である。
【図７】図４のＶＩＩ−ＶＩＩ矢視図である。
【図８】本発明の実施例に係る浴槽洗浄装置が有する吸気弁の断面図である。
【図９】本発明の実施例に係る浴槽洗浄装置が有する昇降弁の断面図である。
【図１０】本発明の実施例に係る浴槽洗浄装置が有する洗剤タンクの構造図である。（ａ）は正面図であり、（ｂ）は（ａ）のｂ−ｂ矢視図であり、（ｃ）は（ａ）のｃ−ｃ矢視図である。
【図１１】本発明の実施例に係る浴槽洗浄装置が有する洗浄ノズルの構造図である。（ａ）は断面図であり、（ｂ）は（ａ）のｂ−ｂ矢視図である。
【図１２】本発明の実施例に係る浴槽洗浄装置の作動のタイムチャートである。
【符号の説明】
１  洗浄液生成装置
２、３  軟質ホース
４  洗浄ノズル
６  吸気弁
７  湯水開閉弁
８  大気開放弁
９  昇降弁
１０、１９  逆止弁
１１  洗剤混合部
１２  洗剤タンク
１５  ポンプ
１６  遮蔽板
１７  気密パッキン
２２  支持金具
１００  浴室ユニット
１０２  浴室側壁
２００  浴槽
２０１  エプロン
３００  分岐金具
【図１】
0003821014.tif 000002
【図２】
0003821014.tif 000003
【図３】
0003821014.tif 000004
【図４】
0003821014.tif 000005
【図５】
0003821014.tif 000006
【図６】
0003821014.tif 000007
【図７】
0003821014.tif 000008
【図８】
0003821014.tif 000009
【図９】
0003821014.tif 000010
【図１０】
0003821014.tif 000011
【図１１】
0003821014.tif 000012
【図１２】
0003821014.tif 000013